(57)【特許請求の範囲】
【請求項１】
第１方向に延在する案内軸と、
光学系を保持する保持部材と、
前記案内軸に対して移動可能に係合する係合部と、
前記係合部と前記保持部材との間に設けられ、前記係合部に対して前記保持部材を揺動自在に支持する支持軸と、
前記支持軸に対して所定方向に偏倚した位置に設けられ、回転中心に対して偏心した外周面を有する回転可能な偏心部材と、
前記支持軸から偏倚した位置に設けられ、前記係合部と前記保持部材との間隔を調整する調整部材と、を備え、
前記保持部材と前記係合部とのいずれか一方は開口部を有し、前記偏心部材及び前記調整部材は前記開口部内に設けられ、前記開口部の内周面により、前記偏心部材を前記所定方向と交差する方向から拘束することを特徴とするレンズ鏡筒。
【請求項２】
請求項１に記載のレンズ鏡筒であって、
前記偏心部材と前記調整部材とは、前記第１方向において異なる位置に設けられることを特徴とするレンズ鏡筒。
【請求項３】
請求項２に記載のレンズ鏡筒であって、
前記偏心部材と前記調整部材とを同軸に配置したことを特徴とするレンズ鏡筒。
【請求項４】
請求項１〜３のいずれか一項に記載のレンズ鏡筒であって、
前記支持軸は、前記案内軸と前記光学系の光軸とを結ぶ線上に配置されることを特徴とするレンズ鏡筒。
【請求項５】
請求項１〜４のいずれか一項に記載のレンズ鏡筒であって、
前記案内軸と平行に設けられた副案内軸と、
前記保持部材を前記副案内軸に係合する副係合部と、を備え、
前記支持軸は、前記光学系の光軸に対して前記副係合部と対向する位置に配置されることを特徴とするレンズ鏡筒。
【請求項６】
請求項１〜５のいずれか一項に記載のレンズ鏡筒であって、
前記支持軸は、前記光学系の光学中心に対応する位置に配置されることを特徴とするレンズ鏡筒。
【請求項７】
請求項１〜６のいずれか一項に記載のレンズ鏡筒であって、
複数の光学系を一体に保持すると共に、前記案内軸に移動可能に係合する保持筒を更に備え、
前記保持筒の内部おいて、前記複数の光学系の間に、前記保持部材を前記複数の光学系とは独立して移動可能に配置したことを特徴とするレンズ鏡筒。
【請求項８】
請求項１〜７のいずれか一項に記載のレンズ鏡筒と、
前記光学系による像を撮像する撮像素子と、を備えることを特徴とする撮像装置。
【発明の詳細な説明】
【技術分野】
【０００１】
本発明は、レンズ鏡筒及びこれを備えた撮像装置に関するものである。
【背景技術】
【０００２】
従来、ガイドバーに沿ってレンズ群を移動する構成のレンズ鏡筒が知られている。このようなガイドバー方式のレンズ鏡筒において、ガイドバーのレンズ枠に対する位置の微調整が可能な鏡枠調整装置が開示されている（例えば、特許文献１参照）。
【先行技術文献】
【特許文献】
【０００３】
【特許文献１】特開２００１−４８９２号公報
【発明の概要】
【発明が解決しようとする課題】
【０００４】
一般的に、レンズ鏡筒において、ガイドバーに対するレンズ枠の調整には、シフト調整とティルト調整の２種類がある。これらは、改善すべき光学性能の項目により使い分けられる。上述した特許文献１の鏡枠調整装置は、シフト調整には対応しているがティルト調整については考慮されていない。
【０００５】
本発明の課題は、ガイドバー方式のレンズ鏡筒において、レンズ枠のティルト調整が可能なレンズ鏡筒及びこれを備えた撮像装置を提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、第１方向に延在する案内軸（５２Ｕ）と、光学系を保持する保持部材（４０）と、前記案内軸に対して移動可能に係合する係合部（４１）と、前記係合部と前記保持部材との間に設けられ、前記係合部に対して前記保持部材を揺動自在に支持する支持軸（６１）と、前記支持軸に対して所定方向に偏倚した位置に設けられ、回転中心に対して偏心した外周面を有する回転可能な偏心部材（７０）と、前記支持軸から偏倚した位置に設けられ、前記係合部と前記保持部材との間隔を調整する調整部材（７１）と、を備え、前記保持部材と前記係合部とのいずれか一方は開口部（４１Ｃ）を有し、前記偏心部材及び前記調整部材は前記開口部内に設けられ、前記開口部の内周面により、前記偏心部材を前記所定方向と交差する方向から拘束することを特徴とするレンズ鏡筒（２０）である。
請求項２に記載の発明は、請求項１に記載のレンズ鏡筒（２０）であって、前記偏心部材（７０）と前記調整部材（７１）とは、前記第１方向において異なる位置に設けられることを特徴とする。
請求項３に記載の発明は、請求項２に記載のレンズ鏡筒（２０）であって、前記偏心部材（７０）と前記調整部材（７１）とを同軸に配置したことを特徴とする。
請求項４に記載の発明は、請求項１〜３のいずれか一項に記載のレンズ鏡筒（２０）であって、前記支持軸（６１）は、前記案内軸（５２Ｕ）と前記光学系の光軸とを結ぶ線上に配置されることを特徴とする。
請求項５に記載の発明は、請求項１〜４のいずれか一項に記載のレンズ鏡筒（２０）であって、前記案内軸（５２Ｕ）と平行に設けられた副案内軸（５２Ｌ）と、前記保持部材（４０）を前記副案内軸に係合する副係合部（４２）と、を備え、前記支持軸（６１）は、前記光学系の光軸に対して前記副係合部と対向する位置に配置されることを特徴とする。
請求項６に記載の発明は、請求項１〜５のいずれか一項に記載のレンズ鏡筒（２０）であって、前記支持軸（６１）は、前記光学系の光学中心に対応する位置に配置されることを特徴とする。
請求項７に記載の発明は、請求項１〜６のいずれか一項に記載のレンズ鏡筒（２０）であって、複数の光学系を一体に保持すると共に、前記案内軸（５２Ｕ）に移動可能に係合する保持筒（３０）を更に備え、前記保持筒の内部おいて、前記複数の光学系の間に、前記保持部材（４０）を前記複数の光学系とは独立して移動可能に配置したことを特徴とする。
請求項８に記載の発明は、請求項１〜７のいずれか一項に記載のレンズ鏡筒（２０）と、前記光学系による像を撮像する撮像素子（１６）と、を備えることを特徴とする撮像装置（１）である。
なお、符号を付して説明した構成は、適宜改良してもよく、また、少なくとも一部を他の構成物に代替してもよい。
【発明の効果】
【０００７】
本発明によれば、ガイドバー方式のレンズ鏡筒において、レンズ枠のティルト調整が可能なレンズ鏡筒及びこれを備えた撮像装置を提供することができる。
【図面の簡単な説明】
【０００８】
【図１】本発明に係るレンズ鏡筒を備えたカメラの概略図である。
【図２】レンズ内筒の平面図である。
【図３】図２のＡ−Ａ断面図である。
【図４】図２のＢ−Ｂ拡大部分断面図である。
【図５】図３のＣ部拡大図である。
【図６】（ａ）は図５のＤ−Ｄ矢視図、（ｂ）は図５のＥ−Ｅ断面図である。
【発明を実施するための形態】
【０００９】
以下、図面を参照して、本発明に係るレンズ鏡筒及び撮像装置の実施形態について説明する。
なお、以下に示す各図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸ軸プラス方向とする。また、正位置において上側に向かう方向をＹ軸プラス方向とする。更に、正位置において被写体に向かう方向をＺ軸プラス方向とする。
【００１０】
図１は、本実施形態におけるレンズ鏡筒２０と、これを備えた撮像装置としてのカメラ１の概略図である。
本実施形態のカメラ１は、図１に示すように、カメラ本体１０と、レンズ鏡筒２０と、を備える。レンズ鏡筒２０は、撮影光学系を構成する複数のレンズ群（Ｌ１〜Ｌ４）を備える。レンズ鏡筒２０は、カメラ本体１０のマウントＣＭに着脱可能に装着される。このため、カメラ１には、用途に応じて異なるレンズ鏡筒２０を装着することができる。
【００１１】
カメラ本体１０は、クイックリターンミラー１１，ファインダスクリーン１２，ペンタプリズム１３，接眼光学系１４，シャッター１５，撮像素子１６，表示装置１７等を備える。
【００１２】
クイックリターンミラー１１は、レンズ鏡筒２０を通過した被写体側からの光（被写体光）の光路をファインダスクリーン１２に向けて屈曲させるためのミラーである。クイックリターンミラー１１は、カメラ本体１０内に揺動可能に配置されている。クイックリターンミラー１１は、レリーズ操作に応じて、被写体光の撮像素子１６への入射を妨げない退避位置（図１中に二点鎖線で示す）に移動する。
【００１３】
ファインダスクリーン１２は、クイックリターンミラー１１により反射された被写体像を結像させるスクリーンである。ファインダスクリーン１２は、クイックリターンミラー１１とペンタプリズム１３との間に配置されている。
ペンタプリズム１３は、断面形状が略五角形のプリズムである。ペンタプリズム１３は、カメラ本体１０を横位置に構えた状態の上部に配置されている。ファインダスクリーン１２に結像した倒立像は、ペンタプリズム１３内で反転して正立像となり、接眼光学系１４へ導かれる。
【００１４】
接眼光学系１４は、ペンタプリズム１３により正立像となった被写体像を、拡大観察するための光学系である。
シャッター１５は、撮影者のレリーズ操作に応じて開閉し、撮像素子１６に結像する被写体像光の露光時間を制御する部位である。
【００１５】
撮像素子１６は、撮影光学系によって結像された被写体像を電気信号に変換する部位である。撮像素子１６は、フォトダイオードやＣＣＤまたはＣＭＯＳ等で構成されている。撮像素子１６は、カメラ本体１０の内側の背面側（図１に示す右側）に、受光面を光軸ＯＡに対して直交させた状態で設けられている。
表示装置１７は、カメラ本体１０の外側の背面側（撮影者側）に設けられた液晶等の表示パネルにより構成されている。表示装置１７は、表示パネルに撮影画像や、露光時間等の撮影に関する情報等を表示する。
【００１６】
上記のように構成されたカメラ１は、図示しないシャッターボタンが撮影者によりレリーズ操作されると、クイックリターンミラー１１が、退避位置に移動する。そして、シャッター１５は、レリーズ操作に応じて開閉し、撮像素子１６に被写体像光を所定時間露光させる。更に、撮像素子１６は、被写体像光を電気信号に変換して撮像する。撮像素子１６によって撮像された撮像データは、図示しない記録部に記録される。
【００１７】
次に、レンズ鏡筒２０について説明する。
レンズ鏡筒２０は、円柱状の外筒２１の前端部（Ｚ軸プラス方向の端部）にズーム操作環２２を備える。ズーム操作環２２の内周側には、第１レンズ群Ｌ１を保持する第１群鏡枠２３、カム筒２４及び固定鏡筒２５が配置されている。
【００１８】
カム筒２４は、固定鏡筒２５に対して相対回転可能で、且つ光軸ＯＡ方向（Ｚ軸方向）には移動不能に設けられている。カム筒２４は、ズーム操作環２２の回転操作によって回転するように構成されている。
固定鏡筒２５の内周側には、第２レンズ群Ｌ２と第４レンズ群Ｌ４とを保持するレンズ内筒３０が配置されている。また、固定鏡筒２５の後端部（Ｚ軸マイナス方向の端部）には、レンズマウントＬＭが設けられている。
【００１９】
レンズ内筒３０は、円筒状に形成された部材である。レンズ内筒３０は、前端側に第２レンズ群Ｌ２が配置され、後端側に第４レンズ群Ｌ４が配置されている。また、レンズ内筒３０の内周側には、第３レンズ群Ｌ３を保持する第３群鏡枠４０が配置されている。
【００２０】
第１群鏡枠２３、レンズ内筒３０及び第３群鏡枠４０は、それぞれ光軸ＯＡ方向（Ｚ軸方向）に移動可能に設けられている。第１群鏡枠２３、レンズ内筒３０及び第３群鏡枠４０は、詳細な構成を省略するが、それぞれカム筒２４に対して、カム溝とカムフォロアとによって連動可能に構成されている。これにより、第１群鏡枠２３、レンズ内筒３０及び第３群鏡枠４０は、カム筒２４の回転によって所定の位置関係を保ちながら光軸ＯＡ方向に移動する。
【００２１】
上記のように構成されたレンズ鏡筒２０は、ズーム操作環２２の回転操作によって、第１レンズ群Ｌ１、レンズ内筒３０（第２レンズ群Ｌ２及び第４レンズ群Ｌ４）、第３レンズ群Ｌ３がそれぞれ所定の位置関係で移動して、合成焦点距離が変化する。
【００２２】
レンズ鏡筒２０におけるレンズ内筒３０及び第３群鏡枠４０は、固定鏡筒２５に設けられたガイド部材５０に案内されて、光軸ＯＡ方向（Ｚ軸方向）に、それぞれ独立して移動する。すなわち、本実施形態のレンズ鏡筒２０は、複数のレンズ群（Ｌ２，Ｌ４）を所定間隔で一体的に保持するレンズ内筒３０と、その間に配置されて独立して移動可能な第３群鏡枠４０（第３レンズ群Ｌ３）とが共通のガイド部材５０に係合して移動する、入れ子型のガイドバー方式として構成されている。
【００２３】
次に、図１及び図２〜図６を参照して、レンズ内筒３０及び第３群鏡枠４０の構成と、本実施形態における特徴部分である第３群鏡枠４０が保持する第３レンズ群Ｌ３のティルト調整に係る構成について説明する。
図２は、レンズ内筒３０の平面図である。図３は、図２のＡ−Ａ断面図である。図４は、図２のＢ−Ｂ拡大部分断面図である。図５は、図３のＣ部拡大図である。図６（ａ）は図５のＤ−Ｄ矢視図、（ｂ）は図５のＥ−Ｅ断面図である。
【００２４】
上述したように、第２レンズ群Ｌ２及び第４レンズ群Ｌ４を保持するレンズ内筒３０と、レンズ内筒３０の内部に配置された第３群鏡枠４０（第３レンズ群Ｌ３）とは、ガイド部材５０に係合して当該ガイド部材５０に案内されて移動するように構成されている。
ガイド部材５０は、図３に示すように、円環状の支持リング５１（図１参照）と、この支持リング５１に固定された２本のガイドバー５２（５２Ｕ，５２Ｌ）とを備える。以下、適宜に、ガイドバー５２Ｕ，５２Ｌを総称して「ガイドバー５２」という。
【００２５】
ガイドバー５２は、所定径の丸棒状に形成された部材である。ガイドバー５２は、ステンレス合金等の剛性を有する素材によって形成されている。ガイドバー５２Ｕ，５２Ｌは、それぞれ一方の端で支持リング５１に固定されている。ガイドバー５２Ｕ，５２Ｌは、光軸ＯＡ方向の正面視において、支持リング５１の周方向を二等分する同一円周上の２カ所（本実施形態ではＹ軸上のプラス側及びマイナス側）に配置されている。図３に示す断面図において、ガイドバー５２Ｕは光軸ＯＡに対して上側（Ｙ軸プラス方向）に配置され、ガイドバー５２Ｌは光軸ＯＡに対して下側（Ｙ軸マイナス方向）に配置されている。
【００２６】
ガイド部材５０は、支持リング５１が固定鏡筒２５とレンズマウントＬＭとの間に介装され、固定鏡筒２５と一体に固定されている。ガイドバー５２Ｕ，５２Ｌは、それぞれ固定鏡筒２５の内周面とレンズ内筒３０の外周面との間に、光軸ＯＡと平行となるように配置されている。ガイドバー５２は、固定鏡筒２５の長さ方向全域に亘る長さを有する。ガイドバー５２は、支持リング５１と反対側の先端が、固定鏡筒２５の被写体側の端部と嵌合している。
【００２７】
次に、レンズ内筒３０について説明する。
レンズ内筒３０は、図４に示すように、所定の肉厚を有する円筒状に形成された部材である。レンズ内筒３０は、金属またはプラスチック等によって形成されている。上述したように、レンズ内筒３０には、図３に示すように、その前端側に第２レンズ群Ｌ２が配置
され、後端側には第４レンズ群Ｌ４が配置されている。また、レンズ内筒３０の内部には、第３群鏡枠４０が光軸ＯＡ方向に移動可能に配置されている。
なお、詳細な構成は省略するが、レンズ内筒３０は、光軸ＯＡ方向に分割状態で形成され、内部に第３群鏡枠４０を収容することにより一体に組み立てられる。
【００２８】
レンズ内筒３０の外周面には、図３に示すように、ガイドバー５２Ｕ，５２Ｌと対応する位置に、それぞれ前後一対のスライド軸受部３１Ｆ，３１Ｒが設けられている。また、レンズ内筒３０の所定位置には、後述する第３群鏡枠４０のスライドブロック４１が移動可能な開口部３５，３６が形成されている。
【００２９】
スライド軸受部３１Ｆは、レンズ内筒３０の前端部の近傍に設けられている。スライド軸受部３１Ｒは、レンズ内筒３０の後端部の近傍に設けられている。スライド軸受部３１Ｆとスライド軸受部３１Ｒとは、光軸ＯＡ方向に所定の間隔で配置されている。
【００３０】
スライド軸受部３１Ｆ，３１Ｒは、光軸ＯＡ方向に所定の厚さを有する。図３において、光軸ＯＡに対して上側（Ｙ軸プラス方向）に設けられたスライド軸受部３１Ｆ，３１Ｒは、ガイドバー５２Ｕと嵌合する。この上側のスライド軸受部３１Ｆ，３１Ｒは、ガイドバー５２Ｕが所定の嵌合公差で摺動移動可能に嵌合する軸受孔を備える（符号を省略）。また、光軸ＯＡに対して下側（Ｙ軸マイナス方向）に設けられたスライド軸受部３１Ｆ，３１Ｒは、ガイドバー５２Ｌと係合する。この下側のスライド軸受部３１Ｆ，３１Ｒは、ガイドバー５２Ｌが所定の公差で摺動移動可能に係合するＵ字溝を備える（符号を省略）。
上記構成により、レンズ内筒３０は、固定鏡筒２５の内部をガイドバー５２に沿って移動することができる。すなわち、レンズ内筒３０は、ガイドバー５２に案内されて、光軸ＯＡ回りに回転することなく、ガイドバー５２の延設方向である光軸ＯＡ方向に移動することができる。
【００３１】
次に、第３群鏡枠４０について説明する。
第３群鏡枠４０は、図３に示すように、所定厚さの円盤状に形成された部材である。第３群鏡枠４０は、その外周において、ガイドバー５２Ｕ，５２Ｌと対応する位置にそれぞれスライドブロック４１，４２を備える。
【００３２】
スライドブロック４１は、図３に示すように、装着基板４１Ａと、軸受４１Ｆ及び４１Ｒと、を備える。軸受４１Ｆ及び４１Ｒは、装着基板４１Ａの光軸ＯＡ方向の両端部に設けられている。
装着基板４１Ａは、図２に示すように、矩形の平面形状を有する。装着基板４１Ａは、所定厚さの平板状に形成されている。
【００３３】
軸受４１Ｆ，４１Ｒは、図３に示すように、装着基板４１Ａ上において、径方向の外周側に向けて突出している。軸受４１Ｆ，４１Ｒは、光軸ＯＡ方向に所定の厚さを有する。軸受４１Ｆ，４１Ｒは、ガイドバー５２Ｕが所定の嵌合公差で摺動移動可能に嵌合する軸受孔（符号を省略）を備える。
【００３４】
軸受４１Ｆは、装着基板４１Ａの前端側の縁部に設けられている。また、軸受４１Ｒは、装着基板４１Ａの後端側の縁部に設けられている。軸受４１Ｆ，４１Ｒは、光軸ＯＡ方向に所定間隔離れて配置されている。軸受４１Ｆ，４１Ｒの間隔は、第３群鏡枠４０がガイドバー５２Ｕに沿って安定して移動することができる長さに設定される。
【００３５】
スライドブロック４１は、図３及び図４に示すように、装着基板４１Ａを貫通する支持ネジ６１を備えたティルト調整機構６０を介して、第３群鏡枠４０に取り付けられている。スライドブロック４１は、レンズ内筒３０の開口部３５の内部に位置している。スライドブロック４１の軸受４１Ｆ，４１Ｒは、レンズ内筒３０の外周面より外側に突出して、下側のガイドバー５２Ｕと嵌合している。ティルト調整機構６０については後述する。
【００３６】
スライドブロック４２は、図３に示すように、軸受４２Ｂを備える。軸受４２Ｂは、光軸ＯＡ方向に所定の厚さを有する。軸受４２Ｂは、ガイドバー５２Ｌが所定の嵌合公差で摺動可能に嵌合する軸受孔（符号を省略）を備える。
【００３７】
スライドブロック４２は、ネジ４６よって第３群鏡枠４０の外周面に取り付けられている。軸受４２Ｂは、レンズ内筒３０の開口部３６からレンズ内筒３０の外周面より外側に突出して、ガイドバー５２Ｌと嵌合している。
【００３８】
スライドブロック４１は、図４に示すように、ティルト調整機構６０によって第３群鏡枠４０の外周面に取り付けられている。また、スライドブロック４２は、ネジ４６よって第３群鏡枠４０の外周面に取り付けられている。このため、入れ子型のガイドバー方式であっても、スライドブロック４１、４２を、第３群鏡枠４０に容易に組み付けることができる。
【００３９】
スライドブロック４１，４２は、それぞれレンズ内筒３０の対応する部位に形成された開口部３５，３６の内部に位置している。スライドブロック４１の軸受４１Ｆ，４１Ｒは、開口部３５からレンズ内筒３０の外側に突出して、ガイドバー５２Ｕと嵌合している。また、スライドブロック４２の軸受４２Ｂは、開口部３６からレンズ内筒３０の外側に突出して、ガイドバー５２Ｌと嵌合している。
【００４０】
これにより、第３群鏡枠４０は、レンズ内筒３０の内部を、ガイドバー５２に沿って移動することができる。すなわち、第３群鏡枠４０は、ガイドバー５２に案内されて、光軸ＯＡ回りに回転することなく、ガイドバー５２の延設方向である光軸ＯＡ方向に移動することができる。
【００４１】
レンズ内筒３０に形成された開口部３５，３６は、図３に示すように、内部にスライドブロック４１，４２を収容している。開口部３５，３６は、第３群鏡枠４０の移動に伴うスライドブロック４１，４２の移動を許容する大きさ及び形状に形成されている。
【００４２】
なお、図２及び図３は、第３群鏡枠４０（第３レンズ群Ｌ３）がレンズ内筒３０（第２レンズ群Ｌ２及び第４レンズ群Ｌ４）に対して最も前端側（被写体側）に位置した状態を示している。これは、本実施形態において最も広角側（焦点距離が短い側）の状態である。この状態から、第３群鏡枠４０（第３レンズ群Ｌ３）が後端側（カメラ本体１０側：図２及び図３における右側）に移動することで、望遠側となる。開口部３５，３６は、スライドブロック４１，４２が定められた望遠側の端まで移動可能な形状を有する。
【００４３】
第３群鏡枠４０の移動は、レンズ内筒３０の移動と同様に、ズーム操作環２２を介して回転駆動されるカム筒２４によって行われる。すなわち、カム筒２４に形成されたカム溝に、第３群鏡枠４０の外周面に突設されたカムフォロアが嵌合し、カム筒２４の回転に伴ってカムフォロアの嵌合するカム溝の位置が光軸ＯＡ方向に変位する。このように、カム筒２４の回転によって第３群鏡枠４０が光軸ＯＡ方向に移動する。この第３群鏡枠４０の移動は、同じカム筒２４によって操作されるレンズ内筒３０の移動とは異なる。
【００４４】
上記のように構成されたレンズ内筒３０及び第３群鏡枠４０の移動構成では、ズーム操作環２２の回転操作に伴うカム筒２４の回転によって、レンズ内筒３０（第２レンズ群Ｌ２及び第４レンズ群Ｌ４）と、第３群鏡枠４０（第３レンズ群Ｌ３）とが、一つのガイド部材５０（ガイドバー５２）に案内されて移動する。その際、レンズ内筒３０と第３群鏡枠４０とは、それぞれ独立して移動する。すなわち、それぞれ異なる動きをするレンズ内筒３０と第３群鏡枠４０とが、同じガイド部材５０によって案内される。
【００４５】
次に、ティルト調整機構６０について説明する。
ティルト調整機構６０は、図５に示すように、支持ネジ６１と、調整軸部７０と、を備える。支持ネジ６１は、スライドブロック４１の装着基板４１Ａを第３群鏡枠４０に支持するためのネジである。調整軸部７０は、ティルト調整を行う部位である。
【００４６】
支持ネジ６１及び調整軸部７０は、図２及び図６（ａ）に示すように、光軸ＯＡ方向に所定間隔離れて配置されている。また、支持ネジ６１及び調整軸部７０は、図２及び図６（ａ）に示すように、支持ネジ６１と調整軸部７０のそれぞれの中心を結ぶ線（不図示）が、平面視においてガイドバー５２Ｕと平行となるように、Ｘ軸マイナス方向に所定間隔離れて配置されている。
【００４７】
すなわち、図２に示すように、支持ネジ６１及び調整軸部７０は、装着基板４１Ａにおいて軸受４１Ｆ，４１Ｒが設けられている領域に対してＸ軸マイナス側に偏倚した位置に設けられている。このように、支持ネジ６１及び調整軸部７０は、軸受４１Ｆ，４１Ｒを貫通するガイドバー５２Ｕと平面視において重合しないように構成されている。
【００４８】
また、支持ネジ６１は、光軸ＯＡ方向からの正面視において、光軸ＯＡに対してスライドブロック４２の軸受４２Ｂと略対向する位置に配置されている。すなわち、支持ネジ６１は、下側に位置するガイドバー５２Ｌが嵌合する軸受４２Ｂ（スライドブロック４２）と、光軸ＯＡを挟んで略対称の位置に設定されている。支持ネジ６１は、光学系となるレンズ群（Ｌ１〜Ｌ４）の光学的な中心に対応する位置に配置されている。
【００４９】
図３に示すように、スライドブロック４１の装着基板４１Ａは、支持ネジ６１が貫通する固定孔４１Ｂと、調整軸部７０が装着される調整孔４１Ｃと、を備える。
【００５０】
固定孔４１Ｂは、後述する支持ネジ６１の胴軸部６１Ａがガタ付くことなく嵌合する所定の公差に形成された孔部である。
調整孔４１Ｃは、図６（ｂ）に示すように、光軸ＯＡ（不図示）と平行な方向に長い長孔である。調整孔４１Ｃは、調整軸部７０における後述する偏心カラー７２の偏心胴部７２Ｂが摺動可能に嵌合する所定の公差に形成されている。
【００５１】
一方、第３群鏡枠４０は、図５に示すように、装着面４１０と、支持ネジ孔４２０と、調整ネジ装着部４３０と、装着座４４０と、を備える。
装着面４１０は、スライドブロック４１が装着される部位に形成されている。装着面４１０は、装着基板４１Ａと対応する形状を有する。
【００５２】
支持ネジ孔４２０は、支持ネジ６１が螺合するネジ孔（雌ネジ）である。「螺合」とは、互いのネジ山が嵌め合っている状態をいう。支持ネジ孔４２０は、所定深さに形成されている。支持ネジ孔４２０の中心軸は、装着面４１０と直交する。支持ネジ孔４２０の周囲には、所定高さの装着座４４０が形成されている。
【００５３】
調整ネジ装着部４３０は、調整軸部７０における後述する調整ネジ７１が装着される部位である。調整ネジ装着部４３０は、丸孔４３１を備える。丸孔４３１は、調整ネジ７１の胴軸部７１Ａが嵌合可能な径と所定深さとを有する孔である。丸孔４３１の底部には、調整ネジ孔４３２が形成されている。調整ネジ孔４３２には、調整ネジ７１のネジ部７１Ｃが螺合する。
【００５４】
調整ネジ装着部４３０の中心軸は、装着面４１０と直交する。すなわち、調整ネジ装着部４３０は、先に説明した支持ネジ孔４２０とＹ軸方向に平行に形成されている。また、調整ネジ装着部４３０の丸孔４３１の開口部の周囲には、所定径で所定深さの切り欠き穴４３３が形成されている。
【００５５】
一方、支持ネジ６１は、図５に示すように、胴軸部６１Ａと、頭部６１Ｂと、ネジ部６１Ｃと、段付き部６１Ｄと、を備える。支持ネジ６１は、胴軸部６１Ａが装着基板４１Ａの固定孔４１Ｂに嵌合すると共に、装着基板４１Ａを貫通している。また、支持ネジ６１のネジ部６１Ｃは、第３群鏡枠４０に形成された支持ネジ孔４２０と締結されている。支持ネジ６１は、段付き部６１Ｄが装着面４１０の装着座４４０と当接することにより、第３群鏡枠４０と連結されている。
【００５６】
支持ネジ６１の頭部６１Ｂと装着基板４１Ａの上面との間には、バネ座金６２が装着されている。バネ座金６２は、厚み方向に弾性変形可能な略板状の部材である。バネ座金６２は、厚み方向に縮むように弾性変形したときの復元力（反発力）により、装着基板４１Ａを第３群鏡枠４０の装着座４４０に向けて付勢している。
【００５７】
調整軸部７０は、図５に示すように、偏心軸としての調整ネジ７１と、調整部材としての偏心カラー７２と、バネワッシャ７３と、を備える。
調整ネジ７１は、胴軸部７１Ａと、頭部７１Ｂと、ネジ部７１Ｃと、段付き部７１Ｄと、を備える。頭部７１Ｂの上面には、ドライバ等の工具によって回転操作可能な操作溝７１Ｅが形成されている。
【００５８】
偏心カラー７２は、操作部７２Ａと、偏心胴部７２Ｂと、内周孔７２Ｃと、を備える。偏心カラー７２は、全体が略円筒状に形成されている。
操作部７２Ａは、偏心胴部７２Ｂより大径で所定厚さの円板形状に形成されている。操作部７２Ａの上面には、かに目スパナ等の工具と係合する操作溝７２Ｄが形成されている。また、操作部７２Ａには、調整ネジ７１の頭部７１Ｂを収容可能な凹部７２Ｅが形成されている。
偏心胴部７２Ｂは、装着基板４１Ａの調整孔４１Ｃに回転可能に嵌合している。図６（ｂ）に示すように、偏心胴部７２Ｂの外周は、操作部７２Ａの中心から所定量偏心している。
【００５９】
内周孔７２Ｃは、調整ネジ７１の胴軸部７１Ａが嵌合する孔である。内周孔７２Ｃは、調整ネジ７１の胴軸部７１Ａを嵌合させたときに、胴軸部７１Ａが回転可能な径に形成されている。内周孔７２Ｃの中心は、偏心胴部７２Ｂの中心から所定量偏心している。
【００６０】
バネワッシャ７３は、装着面４１０の切り欠き穴４３３に収容可能な外径に形成された円盤状の部材である。バネワッシャ７３は、中央に調整ネジ７１の胴軸部７１Ａが遊嵌可能な開口部を備える。また、バネワッシャ７３は、厚み方向に弾性変形可能な部材である。バネワッシャ７３は、厚み方向の弾性変形に対する復元力を生じるように形成されている。
【００６１】
調整軸部７０は、図５に示すように、偏心カラー７２の偏心胴部７２Ｂが装着基板４１Ａの調整孔４１Ｃと嵌合している。また、バネワッシャ７３は、第３群鏡枠４０の装着面４１０に形成された切り欠き穴４３３に装着されている。調整ネジ７１は、偏心カラー７２及びバネワッシャ７３を貫通して、第３群鏡枠４０と係合している。
【００６２】
調整ネジ７１の胴軸部７１Ａは、第３群鏡枠４０の調整ネジ装着部４３０に設けられた丸孔４３１と嵌合している。また、調整ネジ７１のネジ部７１Ｃは、調整ネジ装着部４３０の調整ネジ孔（雌ネジ）４３２と螺合している。
【００６３】
調整ネジ７１の段付き部７１Ｄは、装着面４１０に設けられた丸孔４３１の底部には当接していない。すなわち、調整ネジ７１の段付き部７１Ｄと丸孔４３１の底部との間には、所定の間隔が形成されている。これにより、ネジ部７１Ｃに対して調整ネジ孔４３２がＹ軸方向に進退可能となっている。調整ネジ７１の頭部７１Ｂは、偏心カラー７２における操作部７２Ａの凹部７２Ｅに収容されている。この状態で、調整ネジ７１の頭部７１Ｂの上面と、操作部７２Ａの上面とは、略同一面となっている。
【００６４】
バネワッシャ７３は、第３群鏡枠４０の装着面４１０（切り欠き穴４３３の底面）とスライドブロック４１における装着基板４１Ａの下面との間に装着されている。バネワッシャ７３は、厚み方向に弾性変形可能な略板状の部材である。バネワッシャ７３は、厚み方向に弾性変形したときの復元力（反発力）により、第３群鏡枠４０の装着面４１０を、スライドブロック４１の装着基板４１Ａから遠ざける方向（Ｙ軸プラス方向）に付勢している。
【００６５】
すなわち、調整ネジ７１は、図５に示す位置において、偏心カラー７２を介してスライドブロック４１と第３群鏡枠４０とを結合している。そして、バネワッシャ７３は、厚み方向に弾性変形したときの復元力により、スライドブロック４１と第３群鏡枠４０とのガタ付きを防いでいる。
【００６６】
調整ネジ７１を回転させると、ネジ部７１Ｃに対して第３群鏡枠４０の調整ネジ孔４３２がＹ軸方向に進退する。これにより、バネワッシャ７３により付勢されている第３群鏡枠４０は、スライドブロック４１に対して、Ｙ軸方向に移動する。従って、調整ネジ７１を回転することにより、スライドブロック４１と第３群鏡枠４０との間隔を調整することができる。
【００６７】
上記のように構成された調整軸部７０は、調整ネジ７１と偏心カラー７２とを、それぞれ独立して回転させることができる。すなわち、調整ネジ７１は、偏心カラー７２の操作溝７２Ｄをかに目スパナ等の工具で押さえながら、操作溝７１Ｅをドライバ等の工具で回すことにより、単独で回転させることができる。偏心カラー７２は、調整ネジ７１の操作溝７１Ｅをドライバ等の工具で押さえながら、操作溝７２Ｄをかに目スパナ等の工具で回すことにより、単独で回転させることができる。
【００６８】
そして、調整ネジ７１及び偏心カラー７２を、それぞれ回転させることにより、スライドブロック４１に対する第３群鏡枠４０の角度を、異なる２方向に変化させることができる。次に、調整ネジ７１及び偏心カラー７２を回転させたときの動作について説明する。
【００６９】
調整ネジ７１のみを回転させると、ネジ部７１Ｃに対して、第３群鏡枠４０の調整ネジ孔４３２がＹ軸方向に進退して、第３群鏡枠４０がＹ軸方向に移動する。その結果、第３群鏡枠４０は、図３に矢印Ｆで示すように、スライドブロック４１に対して、支持ネジ６１による支持部位を支点として、光軸ＯＡ（Ｚ軸）とＹ軸とを含む面と平行な面内（図２のＡ−Ａ断面の面内）において角度が変化する。
【００７０】
すなわち、調整ネジ７１を回転させることにより、第３群鏡枠４０が保持する第３レンズ群Ｌ３を、上下方向（光軸ＯＡを含む垂直面内）にティルト調整することができる。
なお、スライドブロック４１に対する第３群鏡枠４０の支持ネジ６１を支点とした上下方向の角度変化は、支持ネジ６１に装着されたバネ座金６２と、調整軸部７０におけるバネワッシャ７３の変形量が変化することで許容される。従って、第３群鏡枠４０の角度が変化した場合でも、第３群鏡枠４０にガタ付きが生ずることはない。
【００７１】
一方、偏心カラー７２のみを回転させると、図６（ｂ）に示すように、内周孔７２Ｃの中心から所定量偏心している偏心胴部７２Ｂが調整孔４１Ｃの中で回転する。その結果、第３群鏡枠４０は、図２中に矢印Ｇで示すように、支持ネジ６１を中心として、光軸ＯＡ（Ｚ軸）とＸ軸とを含む面と平行な面内（図５のＥ−Ｅ断面の面内）において角度が変化する。
【００７２】
すなわち、偏心カラー７２を回転させることにより、第３群鏡枠４０が保持する第３レンズ群Ｌ３を、水平方向（光軸ＯＡを含む水平面内）にティルト調整することができる。
なお、スライドブロック４１に対する第３群鏡枠４０の支持ネジ６１を中心とした水平方向の角度変化の際には、支持ネジ６１に装着されたバネ座金６２と、調整軸部７０におけるバネワッシャ７３の変形量は変化しない。従って、第３群鏡枠４０の角度が変化した場合でも、第３群鏡枠４０にガタ付きが生ずることはない。
【００７３】
上述したように、本実施形態のティルト調整機構６０は、調整ネジ７１のみを回転することにより、第３群鏡枠４０（第３レンズ群Ｌ３）の上下方向におけるティルト調整を行うことができる。また、偏心カラー７２のみを回転することにより、第３群鏡枠４０（第３レンズ群Ｌ３）の水平方向におけるティルト調整を行うことができる。従って、これら２つのティルト調節を組み合わせることにより、全方向におけるティルト調整を行うことが可能となる。
【００７４】
以上説明した本実施形態によれば、以下のような効果を奏する。
（１）本実施形態のレンズ鏡筒２０は、調整軸部７０の偏心カラー７２を回転することにより、第３群鏡枠４０が保持する第３レンズ群Ｌ３の水平方向（光軸ＯＡを含む水平面内）におけるティルト調整を行うことができる。従って、第２レンズ群Ｌ２及び第４レンズ群Ｌ４を保持するレンズ内筒３０と、レンズ内筒３０の内部に配置された第３群鏡枠４０（第３レンズ群Ｌ３）とが共通のガイド部材５０に係合して移動する入れ子型のガイドバー方式のレンズ鏡筒２０において、第３群鏡枠４０（第３レンズ群Ｌ３）のティルト調整が可能となる。
【００７５】
（２）本実施形態のレンズ鏡筒２０は、調整軸部７０における調整ネジ７１を回転することにより、第３群鏡枠４０が保持する第３レンズ群Ｌ３の上下方向（光軸ＯＡを含む垂直面内）におけるティルト調整を行うことができる。従って、上述した偏心カラー７２を回転することによる第３レンズ群Ｌ３の水平方向におけるティルト調整と組み合わせることにより、全方向におけるティルト調整を行うことが可能となる。
【００７６】
（３）本実施形態のレンズ鏡筒２０は、調整軸部７０において、調整ネジ７１と偏心カラー７２とを同軸に配置している。このため、同じ調整軸部７０に対して操作を行うことにより、第３群鏡枠４０が保持する第３レンズ群Ｌ３の上下方向及び水平方向の２方向におけるティルト調整を行うことができる。従って、ティルト調整を効率良く行うことができる。
【００７７】
（４）ティルト調整機構６０の支持ネジ６１は、平面視において上側のガイドバー５２ＵからＸ軸マイナス方向に所定間隔離れて配置されている。このため、第３群鏡枠４０にスライドブロック４１を取り付ける際に、支持ネジ６１をガイドバー５２Ｕと干渉することなく外周側から容易に取り付けることができる。なお、ティルト調整機構６０の支持ネジ６１を、平面視においてガイドバー５２Ｕと重合するように配置した場合、すなわち、支持ネジ６１を、上側のガイドバー５２Ｕと第３レンズ群Ｌ３の光軸ＯＡとを結ぶ線上に配置した場合には、調整ネジ７１により第３群鏡枠４０が保持する第３レンズ群Ｌ３を上下方向にティルト調整したときに、第３群鏡枠４０をより正確に調整することができる。また、本実施形態において、ティルト調整を行う調整軸部７０は、平面視においてガイドバー５２ＵからＸ軸マイナス方向に所定間隔離れて配置されている。このため、ティルト調整時にドライバ等の工具による調整軸部７０の調整を、ガイドバー５２Ｕと干渉することなく外周側から容易に行うことができる。
【００７８】
（５）ティルト調整機構６０の支持ネジ６１は、第３レンズ群Ｌ３の光軸ＯＡに対して、下側のガイドバー５２Ｌと係合するスライドブロック４２と略対向する位置に配置されている。このため、調整軸部７０における偏心カラー７２を回転させて水平方向におけるティルト調整を行っても、ガイドバー５２Ｌに対する軸受４２Ｂの相対変位を少なくできる。これにより、ティルト調整後にガイドバー５２Ｌに対して軸受４２Ｂが過剰拘束となることを抑制でき、ガイドバー５２Ｌに対する軸受４２Ｂの円滑な摺動状態を保つことができる。なお、ティルト調整機構６０の支持ネジ６１を、第３レンズ群Ｌ３の光軸ＯＡに対して、下側のガイドバー５２Ｌと係合するスライドブロック４２と対向する位置に配置した場合には、上記と同様の理由により、ガイドバー５２Ｌに対する軸受４２Ｂのより円滑な摺動状態を保つことができる。従って、上記のような構成とすることにより、ティルト調整後における第３群鏡枠４０の円滑又はより円滑な動作を確保することができる。
【００７９】
（６）本実施形態のレンズ鏡筒２０においては、ティルト調整機構６０における調整軸部７０を外周側から操作してティルト調整を行うことができる。このため、全てのレンズ群の組み立てが完了した状態で、光学性能を測定しつつ外周側の外部からティルト調整を行うことが可能となり、ティルト調整の作業が容易になる。
【００８０】
（７）本実施形態のレンズ鏡筒２０においては、ガイドバー５２Ｌに第３群鏡枠４０が組み付けられた状態でも、また、全てのレンズ群の組み立てが完了した状態でも、何れの段階においても外周側の外部からティルト調整を行うことが可能となる。このため、作業工程の設定の自由度を高めることができる。
【００８１】
（８）本実施形態のレンズ鏡筒２０においは、ティルト調整に際して部材を塑性変形させることがないので、調整に大きな力が不要となる。このため、ティルト調整における作業性を向上させることができる。
（９）本実施形態のレンズ鏡筒２０においては、ティルト調整機構６０における調整軸部７０を外周側から操作してティルト調整を行うことができる。すなわち、ドライバ等の調整工具をラジアル方向（光軸中心から放射状方向）から差し入れて調整軸部７０を操作することができる。これによれば、光軸ＯＡに沿って照射された検査用の光束を観察しながらティルト調整を行うことができる。
【００８２】
（変形形態）
以上説明した実施形態に限定されることなく、本発明は以下に示すような種々の変形や変更が可能であり、それらも本発明の範囲内である。
【００８３】
（１）上記実施形態では、図２に示すように、ティルト調整機構６０における支持ネジ６１と調整軸部７０とは、平面視においてガイドバー５２ＵからＸ軸マイナス方向に所定間隔離れた位置に配置されている。しかし、支持ネジ６１及び調整軸部７０の配置は、これに限るものではなく、支持ネジ６１と調整軸部７０とが、平面視においてガイドバー５２ＵからＸ軸マイナス（又はプラス）方向にそれぞれ異なる間隔離れた位置に配置されていてもよい。また、支持ネジ６１が、平面視においてガイドバー５２ＵからＸ軸マイナス（又はプラス）方向に所定間隔離れた位置に配置され、調整軸部７０が、平面視においてガイドバー５２ＵからＸ軸プラス（又はマイナス）方向に所定間隔離れた位置に配置された構成としてもよい。また、支持ネジ６１は、平面視においてガイドバー５２Ｕと第３レンズ群Ｌ３の光軸ＯＡを結ぶ線上において、ガイドバー５２Ｕの直下に配置されていてもよい。
【００８４】
（２）上記実施形態では、第２レンズ群Ｌ２及び第４レンズ群Ｌ４を保持するレンズ内筒３０と、第３レンズ群Ｌ３を保持する第３群鏡枠４０とが相対的に移動して焦点距離が変化するズームレンズを例として説明した。しかし、本発明に係わるレンズ鏡筒は、焦点調節する合焦レンズを移動する構成にも適用することができる。
（３）また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【００８５】
１：カメラ、１０：カメラ本体、１６：撮像素子、２０：レンズ鏡筒、３０：レンズ内筒、４０：第３群鏡枠、４１，４２：スライドブロック、５２Ｕ，５２Ｌ：ガイドバー、６０：ティルト調整機構、６１：支持ネジ、７０：調整軸部、７１：調整ネジ、７２：偏心カラー
【図１】
0005585199.tif 000002
【図２】
0005585199.tif 000003
【図３】
0005585199.tif 000004
【図４】
0005585199.tif 000005
【図５】
0005585199.tif 000006
【図６】
0005585199.tif 000007